(57)【要約】　　　（修正有）【課題】分岐口付接続金具の湯水混合水栓からの脱落および／または大量漏水等の不具合の可能性を軽減する分岐口付接続金具を提供する。【解決手段】湯および／または水を通水する連結路に連結させ、他端を湯水混合水栓本体に設けられた湯および／または水を通水する連結路に連結する連結パイプ００４を備え、連結パイプの端部に連通路を周方向で水密にシールする連結シール部を設けると共に、分岐口付接続金具００１の取付状態において連結シール部のシール端部から湯水混合水栓本体側連通路のシール上端位置までのシール有効長さと、連結シール部のシール端部から分岐口付接続金具本体側連通路のシール下端位置までのシール有効長さを合わせた全シール有効長さを、袋ナット部００３の有効ネジ山長さよりも短く構成した。【選択図】　図１
2004036203.tif 000002
【特許請求の範囲】
【請求項１】
湯水混合水栓から湯または水を分岐するために前記湯水混合水栓本体の一部を分割して取付けられる分岐口付接続金具であって、該分岐口付接続金具本体の下端部に前記湯水混合水栓本体に締め付け固定される袋ナットを備えると共に、一端を前記分岐口付接続金具本体に設けられた湯および／または水を通水する連結路に連結させ、他端を前記湯水混合水栓本体に設けられた湯および／または水を通水する連結路に連結する連結パイプを備え、前記連結パイプの端部に前記湯および／または水の連通路を周方向で水密にシールする連結シール部および／または前記分岐口付接続金具本体と前記湯水混合水栓本体とに設けられた混合室とを水密にシールする円筒シール部とを設けると共に、前記袋ナットの締め付け固定が無効となる前に前記連結シール部および／または前記円筒シール部が無効となるように構成したことを特徴とする分岐口付接続金具。
【請求項２】
前記分岐口付接続金具の取付状態において前記連結シール部のシール端部から前記湯水混合水栓本体側連通路のシール上端位置までのシール有効長さと、前記連結シール部のシール端部から前記分岐口付接続金具本体側連通路のシール下端位置までのシール有効長さを合わせた全シール有効長さを、前記袋ナット部の有効ネジ山長さよりも短く構成したことを特徴とする請求項１に記載の分岐口付接続金具。
【請求項３】
前記連結シール部と前記円筒シール部とからなり、前記袋ナット部の有効ネジ山長さを、前記連結シール部の有効長さ、もしくは前記円筒シール部の有効長さのいずれか一方の長さよりも長く形成したことを特徴とする請求項１に記載の分岐口付接続金具。
【請求項４】
湯水混合水栓から湯または水を分岐するために前記湯水混合水栓本体の一部を分割して取付けられる分岐口付接続金具であって、該分岐口付接続金具本体の下端部に前記湯水混合水栓本体に締め付け固定される袋ナットを備え、該袋ナット部の任意の部位と、前記分岐口付接続金具本体の任意の部位との位置を各々規制する位置決め部材を備えたことを特徴とする分岐口付接続金具。
【発明の詳細な説明】
【０００１】
【発明の属する技術分野】
本発明は、湯水混合水栓に取り付けられ、湯水混合水栓から分岐させて、水周り機器に水道もしくは給湯設備より湯および／または水を供給させる分岐口付接続金具に関するものである。
【０００２】
【従来の技術】
現在、卓上型の食器洗い機もしくは浄水器など、水周り機器の普及率が増加してきている。これらの水周り機器は、水道もしくは給湯設備より湯・水が供給されるため、水栓もしくは湯水混合水栓に取り付けられ、水周り機器への給水／給湯を容易におこなうための分岐口付接続金具が同時に普及してきている（特許第２１４９０７５号、第２８６６６２８号、第３０１７６９０号、第３０２６７６９号）。
【０００３】
これらの分岐口付接続金具の取り付けについては、分譲住宅だけでなく賃貸住宅も対象とされるため、既設の水栓もしくは湯水混合水栓の部品をそのまま流用して、水（もしくは湯）連通路の一部を分割して、分岐口付接続金具を挟み込む構成とされている。このような構成とすることにより、水周り機器を撤去する場合でも、容易に元の水栓もしくは湯水混合水栓を復帰することが可能となっている。
【０００４】
通常の水栓もしくは湯水混合水栓は、家庭用流し台の壁面に取り付けられる壁付きタイプと、前記流し台の天板に取り付けられる台付きタイプに大別される。水周り機器は、家庭用流し台に設けられた水栓もしくは湯水混合水栓の吐水とは独立して使用されるため、分岐口付接続金具は、前記壁付きタイプ、台付きタイプ共に、水管および／または湯管の一次側（水栓の開閉止水部もしくは、湯水混合水栓の湯水混合カートリッジの前段の流路）に取り付けられるように構成される。
そのため、分岐口付接続金具の水栓もしくは湯水混合水栓の取付部は常時水圧が付加される状況下であり、漏水などの不具合が発生しないように、施工時には細心の注意を必要とする。
【０００５】
施工において、特に水栓もしくは湯水混合水栓と分岐口付接続金具の取り付け部については、カートリッジ押さえや袋ナットなどを工具により、確実に締め付ける必要がある。
しかしながら、台付きタイプの湯水混合水栓においては、構成部品として、カートリッジ本体、カートリッジ取付台座、カートリッジ押さえ、レバーハンドル等の操作部、スパウトなどにより構成されるが、分岐口付接続金具が取り付けられるカートリッジ取付台座やカートリッジ押さえ、などは、金属ではなく樹脂で形成されている場合が多く、分岐口付接続金具の取付施工においては、湯水混合水栓側の部品破損を防ぐため、工具による締結ではなく、手締めによる取付けがなされていた。
【０００６】
図６に従来の台付きタイプ湯水混合水栓２１０に取付けられた分岐口付接続金具２００について説明する。
図６において分岐口付接続金具２００は、湯水混合水栓２１０に取付けられている。
湯水混合水栓２１０は、レバーハンドル１０１、カートリッジ押さえ１０２、カートリッジ１０３、カートリッジ取付け台座１０４、スパウト部１０５により構成されており、分岐口付接続金具本体２０１は、湯水混合水栓のカートリッジ１０３およびカートリッジ取付け台座１０４の間に取付けられる。
このような構成において、分岐口付接続金具２００の袋ナット部２０３は、湯水混合水栓２１０のカートリッジ押さえ１０２と、また、分岐口付接続金具２００のカートリッジ取付け部２０２は湯水混合水栓２１０のカートリッジ取付け台座１０４と同等の接続仕様として形成されている。
このような構成とすることにより、分岐口付接続金具２００の袋ナット部２０３は湯水混合水栓２１０のカートリッジ取付け台座１０４に、また、分岐口付接続金具２００のカートリッジ取付け部２０２は湯水混合水栓２１０のカートリッジ押さえ１０２に適合し、支障なく分岐口付接続金具本体２０１を湯水混合水栓のカートリッジ１０３およびカートリッジ取付け台座１０４の間に取付けることができる。
【０００７】
水栓根元に位置する連通路１０６に、水道もしくは給湯設備より給水（湯）された水（湯）は、カートリッジ取付け台座１０４に設けられた混合水栓側カートリッジ取付け部２０８と連結された連結パイプ部２０４を経て、分岐給水（湯）口２０５および／またはカートリッジ１０３端部に圧力がかかった状態で供給される。
蛇口吐水の場合は、レバーハンドル１０１の操作により、カートリッジ１０３にて湯水が混合された後、混合水連通路２０９および／または混合室２０６を経て、スパウト部１０５より吐水される。
水周り機器を付設する場合は、分岐給水（湯）口２０５に設けられた開閉バルブ（図示せず）により、水栓の吐水とは別に、独立して水周り機器への給水（湯）をおこなうことが出来る。
【０００８】
分岐口付接続金具２００においては、分岐口付接続金具本体２０１とカートリッジ１０３および／または分岐口付接続金具本体２０１とカートリッジ取付け台座１０４とが水密にシールされており、当該シール部には水道管からの一次圧が常時付加されている。これらのシール部は、カートリッジ押さえ１０２もしくは、袋ナット２０３が適切に締め込まれることにより、シールを確実なものとしている。
【０００９】
【発明が解決しようとする課題】
当該湯水混合水栓は家庭用流し台に設置されるケースが多く、スパウト部１０５やレバーハンドル１０１の長期に亘る回動使用、もしくは湯水混合水栓外周部の清掃作業などにより、カートリッジ押さえ１０２、カートリッジ取付け台座１０４の締込み部が緩んでしまうことが懸念される。
また、前述したように、カートリッジ押さえ１０２、カートリッジ取付け台座１０４は樹脂製であることが多いため手締めでの施工が施される。このため道工具で機械的に締込みしたものに比較して、カートリッジ押さえ１０２、カートリッジ取付け台座１０４の締込み部が緩んでしまうことも懸念される。
締込み部の緩みについては、特に、袋ナット２０３とカートリッジ取付け台座１０４のネジ掛かり合わせ部２０７の掛かり合わせが緩むことにより外れた場合、分岐口付接続金具本体２０１が突然外れることとなり、水栓根元の止水栓もしくは、家全体の水道元栓を閉じるまで大量の漏水が発生することとなる。
このような状態が発生した場合、通常水栓根元の止水栓もしくは水道元栓は一般的に馴染みが薄い設備であることから、漏水発生より直ちに止水出来ない可能性もあり、被害の拡大も懸念される。
【００１０】
そこで本発明は、上記懸念事項を鑑み、分岐口付接続金具の水栓からの脱離および／または大量漏水等の不具合を軽減する→事前に防止する分岐口付接続金具を提供することを目的とする。
【００１１】
【課題を解決するための手段】
本発明における第一の請求項では、湯水混合水栓から湯または水を分岐するために前記湯水混合水栓本体の一部を分割して取付けられる分岐口付接続金具であって、該分岐口付接続金具本体の下端部に前記湯水混合水栓本体に締め付け固定される袋ナットを備えると共に、一端を前記分岐口付接続金具本体に設けられた湯および／または水を通水する連結路に連結させ、他端を前記湯水混合水栓本体に設けられた湯および／または水を通水する連結路に連結する連結パイプを備え、前記連結パイプの端部に前記湯および／または水の連通路を周方向で水密にシールする連結シール部および／または前記分岐口付接続金具本体と前記湯水混合水栓本体とに設けられた混合室とを水密にシールする円筒（内周）シール部とを設けると共に、前記袋ナットの締め付け固定が無効となる前に前記連結シール部および／または前記円筒シール部が無効となるように構成した。
シール部を無効とする簡単な構成で、分岐口付接続金具が完全に外れる若しくは締め付けがかなり緩む（無効になる）という事態が発生する前に、異常状況にあることを明確に確認することが可能となる。
【００１２】
また、本発明における第二の請求項では、前記分岐口付接続金具の取付状態において前記連結シール部のシール端部から前記湯水混合水栓本体側連通路のシール上端位置までのシール有効長さと、前記連結シール部のシール端部から前記分岐口付接続金具本体側連通路のシール下端位置までのシール有効長さを合わせた全シール有効長さを、前記袋ナット部の有効ネジ山長さよりも短く構成した。
これにより袋ナット部が緩んだ場合、袋ナットが取り付いた状態で、漏水により異常を確認することが出来るため、一次側拡大漏水を最小限に押さえることが可能となる。
【００１３】
また、本発明における第三の請求項では、前記連結シール部と前記円筒シール部とからなり、前記袋ナット部の有効ネジ山長さを、前記連結シール部の有効長さ、前記円筒シール部の有効長さのいずれか一方の長さよりも長く形成した。
これにより袋ナット部が緩んだ場合、袋ナットが取り付いた状態で、二次側の漏水により異常を確認することが出来るため、一次側拡大漏水を防ぐと共に、使用者はレバーハンドルなどの操作により安全に一時処置（止水）をおこなうことが出来る。
【００１４】
また、本発明における第四の請求項では、湯水混合水栓から湯または水を分岐するために前記湯水混合水栓本体の一部を分割して取付けられる分岐口付接続金具であって、該分岐口付接続金具本体の下端部に前記湯水混合水栓本体に締め付け固定される袋ナットを備え、該袋ナット部の任意の部位と、前記分岐口付接続金具本体の任意の部位との位置を各々規制する位置決め部材を備えた。
これにより、袋ナット部の締結後、袋ナット部が回動しようとした場合、位置決め部材が袋ナット部の任意の部位と接続金具本体の任意の部位との位置を規制するよう機能し、袋ナットが一定以上緩むことがないため、分岐口付接続金具を取付け後、締付け状態を安全に維持することが可能となる。
【００１５】
【発明の実施の形態】
本発明を添付図面に示す実施の形態例により詳細説明する。図１は本発明の第一の実施例の分岐口付接続金具取付け概略図、図２は第一の実施例の分岐口付接続金具シール概略図である。
本発明の第一の実施形態例は、家庭用など流し台の天板に取り付けられる台付タイプの湯水混合水栓に取付けられて用いられる分岐口付接続金具２００である。
分岐口付接続金具本体００１は上部空間に混合水栓のカートリッジ１０３を収納、接続し、下方に湯、水の連結パイプ００４が連結されている。
更に、湯、水の連結パイプ００４は、カートリッジ取付け台座１０４に連結されるよう構成されている。
分岐口付接続金具２００において、袋ナット部００３は混合水栓のカートリッジ押さえ１０２と、また、カートリッジ取付け部００２は、混合水栓のカートリッジ取付け台座１０４と同等の構造として形成され、カートリッジ押さえ１０２および／または袋ナット部００３を締め込むことにより、水密にシールされるように構成されている。
【００１６】
水栓根元に位置する、連通路１０６より水道もしくは給湯設備より給水（湯）された水（湯）は連結パイプ００４を経て、分岐給水（湯）口００５および／またはカートリッジ１０３端部に圧力がかかった状態で供給される。蛇口吐水の場合は、レバーハンドル１０１の操作により、カートリッジ１０３にて湯水が混合された後、混合水連通路００９および／または混合室００６を経て、スパウト部１０５より吐水される。
水周り機器を使用する場合は、分岐給水（湯）口００５に設けられた開閉バルブ（図示せず）により、水栓の吐水とは別に、独立して水周り機器への給水（湯）をおこなうことが出来る。
【００１７】
図２において、袋ナット部００３とカートリッジ取付け台座１０４のネジの有効掛かり代Ａ（すなわち、袋ナット部００３に形成されたネジ長さとカートリッジ取付け台座１０４上端外側に設けられたネジ長さの有効掛かり代）は、連結パイプ００４の両端部に設けられた周方向シール００７ａと分岐口付接続金具本体００１の連結パイプ取付け部００１ａとの間で形成されるシール有効長さＢ１（すなわち周方向シール００７ａのシール端部と、連結パイプ取付け部００１ａに設けられたシール受部下端までの長さ）と、周方向シール００７ｂとカートリッジ取付け台座１０４とを連結する連結パイプ取付け部１０４ａとの間で形成されるシール有効長さＢ２（すなわち周方向シール００７ｂのシール端部と、連結パイプ取付け部１０４ａに設けられたシール受部上端までの長さ）との合計よりも長く形成される。
袋ナット部００３の締め付けが緩んだ場合、分岐口付接続金具本体００１は水道一次圧により、上方向に付勢され、カートリッジ取付け台座１０４と離隔する方向で移動することになる。
【００１８】
しかしながら、本構成においては、連結パイプの周方向シール００７ａのシール有効長さＢ１および／または周方向シール００７ｂのシール有効長さＢ２の合計を、袋ナット部００３ネジの有効掛かり代Ａよりも短く構成することで、袋ナット部と水栓本体との締め付けが緩んだとしても、分岐口付接続金具本体００１とカートリッジ取付け台座１０４が完全に外れる若しくは締め付けがかなり緩む（袋ナット部００３ネジの掛かりが無効になる）前に、連結パイプ００４と分岐口付接続金具本体００１もしくは連結パイプ００４とカートリッジ取付け台座１０４とのシール（Ｂ１および／またはＢ２）が先に無効になり、無効となったシール部から漏水することになる。
無効となったシール部から漏水した湯水は、分岐口付接続金具００１とカートリッジ取付け台座１０４との間に形成される混合室００６内に溜り、レバーハンドル１０１を止水した状態でも、混合室００６に水道もしくは給湯設備からの水圧が常時加わることで、スパウト部０１０より漏れ出してスパウト部０１０の吐水口から水が流れ出るｌことになる。
使用者は、レバーハンドル１０１を止水した状態であるにも拘わらずスパウト部１０１の吐水口から水が流出するため、これにより異常を容易に発見することが可能となり、更に流出した水は吐水口から流し台シンクに排出されるため、流し台シンク回りに被害を与えることなく、確実に異常に対する対処（元栓の確認および止水など）をすることが出来る。
【００１９】
図３（ａ）（ｂ）に本発明の第一の実施例の他の分岐口付接続金具を使用した場合のシール部拡大図を示す。
図３（ａ）（ｂ）においては、分岐口付接続金具本体００１と連結パイプ００４は周方向のシールによる吊り下げ方式ではなく、図３（ａ）に示すような、連結パイプ００４の上方の端部が分岐口付接続金具本体００１に直接ネジ固定される構成のネジ込み方式、もしくは図３（ｂ）に示すような、連結パイプ００４の上方の端部が分岐口付接続金具本体００１と一体で形成される構成の一体式で形成される。
このような構成とすることにより、袋ナット部００３のネジ掛かり代Ａの長さを支配する、周方向シール００７ａ、００７ｂの合計シール長さ（Ｂ１＋Ｂ２）を削減することが可能（すなわち、Ｂ１を０とすることが出来る）となるため、袋ナット部００３ネジ掛かり代Ａを削減することが可能となり、結果として分岐口付接続金具本体００１を小さくすることが出来る。
また、分岐口付き接続金具取付け作業においても、連結パイプ００４を分岐口付き接続金具本体００１に確実に位置決めした状態で作業をおこなうことが出来るため、カートリッジ取付け台座１０４への連結パイプ００４差し込み作業が容易におこなうことができる。
更に、袋ナット部００３ネジ掛かり代Ａに対して、周方向シール００７ａ、００７ｂの合計シール長さが短いので、ネジ緩みによる漏水発生時も、袋ナット部００３のネジ掛かりをより十分量確保することが可能である。ネジ掛かり量が多ければ、使用者が誤った対処（袋ナット部００３を更に緩める方向に回そうとする）をした場合でも、分岐口付き接続金具が湯水混合水栓から外れてしまうといった事故が発生しにくくなる。
【００２０】
図４に本発明の第二の実施例の分岐口付接続金具のシール部拡大図を示す。
本実施例の構成においては、袋ナット部００３の有効ネジ掛かり代Ａに対して、分岐口付接続金具本体００１下部の外周とカートリッジ取り付け台座１０４の上部の内周とを水密にシールする円筒シール部０１１の有効シール長さＣ（カートリッジ取付け台座１０４の上端近傍の内周シール部１０４ｂのシール端部と円筒シール部０１１に設けられたシール受部上端までの長さ）を短く構成している。
袋ナット部００３と水栓本体との締め付けが緩み、分岐口付接続金具本体００１が水道一次圧により上方向に付勢され、カートリッジ取付け台座１０４と離隔する方向で移動した場合、分岐口付接続金具本体００１とカートリッジ取付け台座１０４が完全に外れる若しくは締め付けがかなり緩む前に、分岐口付接続金具本体００１外周とカートリッジ取り付け台座１０４内周部の水密シールが先に無効になる。
【００２１】
分岐口付接続金具本体００１外周とカートリッジ取り付け台座１０４内周部の水密シールが無効になった場合、レバーハンドル１０１の操作により、カートリッジ１０３にて湯水が混合され、混合水が混合室００６に供給され、スパウト部１０５より吐水される際に、袋ナット部００３近傍より水栓外部へ漏水することとなる。
この場合、分岐口付接続金具本体００１外周とカートリッジ取り付け台座１０４内周部の水密シールは水道もしくは給湯設備の１次圧が付加される構成ではなく、カートリッジ１０３以降の２次側の水密シールである（漏水は２次側から）ため、漏水発生時、使用者はレバーハンドル１０１の操作により、安全に一時処置（止水）をおこなうことが可能となる。
【００２２】
本実施例においては、特にカートリッジ１０３をカートリッジ取付け台座１０４に内包するよう構成されるコンパクト型の湯水混合水栓に対して有効に機能する。
これは、分岐口付接続金具００１本体が、既設の混合水栓のカートリッジ１０３とカートリッジ取付け台座１０４との間に追加して設けられる構成となっていることが要因である。
カートリッジ本体がカートリッジ取付け台座（スパウト部）に内包される場合は、カートリッジ１０３とカートリッジ取付け台座１０４とのシール部は、カートリッジ取付け台座の底面に位置するのに対して、カートリッジ取付け台座１０４と分岐口付接続金具本体００１の袋ナット部００３との締め付け部は、カートリッジ取付け台座１０４上端外周部となるため、カートリッジ取付け台座１０４内周の（既設の水栓ではカートリッジが内包されていた）空間が生じてしまい、少なくとも水、湯の連結パイプ００４を空間に渡す構成となる。
これらの連結パイプ００４については、施工上、周方向のシールとして分岐口付接続金具本体００１および／またはカートリッジ取付け台座１０４に差し込むように構成した方が好ましいものである。しかしながら、周方向のシールの追加により分岐口付接続金具取付けの接水部（耐圧部）のシールは、袋ナット部の緩みに比例して漏水量が変化するという、従来のシールの考え方とは異なるシール構成となっている。
【００２３】
図５（ａ）に本発明の第三の実施例の分岐口付接続金具のシール部拡大図を、図５（ｂ）にＤ−Ｄ断面図示す。
本実施例においては、袋ナット部００３をカートリッジ取付け台座１０４に締めこんだ状態で、後付けの位置決め部材０１２が取付けられる。位置決め部材は一部が切り欠かれた環状で構成され、内側面は分岐口付接続金具本体００１の胴部００１ｂと嵌合構造をとるよう凹凸部０１２ａ、底面部に突起０１２ｂが形成されている。
分岐口付接続金具００１の胴部００１ｂには、位置決め部材０１２の凹凸部０１２ａに対応する凹凸が、袋ナット部００３上面には、突起０１２ｂが差し込まれる溝００３ａが形成されている。袋ナット部００３をカートリッジ取付け台座１０４に十分締め付け、袋ナット部００３上面と分岐口付接続金具００１との隙間に位置決め部材０１２を、凹凸部０１２ａが胴部００１ｂの凹凸に相対する位置で嵌め込む。
【００２４】
本実施例の構成と同構成でなくても、分岐口付接続金具本体００１と袋ナット部００３の相対位置を、任意の部材により、袋ナット００３締め付け後に規制する構成とすることにより、袋ナット部００３の過度の緩み（少なくとも１回転以下に）を抑えることが可能となる。また、任意の部材は分岐口付接続金具本体００１と袋ナット部００３と別部材である必要は無く、いずれかの部品に一体的に／もしくは連結して設けられても良い。
本構成では、袋ナットの溝部００３ａの範囲では、突起０１２ｂは可動ではあるが、更に袋ナット部００３が回動しようとしても、溝部００３ａと突起０１２ｂ、および／または分岐口付接続金具の胴部００１ｂと凹凸部０１２ａが互いに位置規制するため、位置決め部材０１２が取付けられていれば、袋ナット００３の緩みは確実に規制される。
【００２５】
【発明の効果】
本発明により、分岐口付接続金具と湯水混合水栓との接続が確実になると共に、該接続部に致命的な緩みが発生する前に異常状態を確実に把握できるため、安全性の向上が図れる。
【図面の簡単な説明】
【図１】発明の第一の実施例の分岐口付接続金具取付け概略図
【図２】第一の実施例の分岐口付接続金具シール概略図
【図３】（ａ）本発明の第一の実施例の他の分岐口付接続金具のシール部拡大図（ねじ込み方式）
（ｂ）本発明の第一の実施例の他の分岐口付接続金具のシール部拡大図（一体式）
【図４】本発明の第二の実施例の分岐口付接続金具のシール部拡大図
【図５】（ａ）本発明の第三の実施例の分岐口付接続金具のシール部拡大図
（ｂ）Ｄ−Ｄ断面図
【図６】従来の台付きタイプ湯水混合水栓に取付けられた分岐口付接続金具
【符号の説明】
１０１…レバーハンドル、１０２…カートリッジ押さえ、１０３…カートリッジ、１０４…カートリッジ取付け台座、１０４ａ…連結パイプ取付け部、１０４ｂ…内周シール部、１０５…スパウト部、１０６…湯水連通路、２００…分岐口付接金具、２０１…分岐口付接続金具本体、２０２…カートリッジ取付け部、２０３…袋ナット部、２０４…連結パイプ部、２０５…分岐給水（湯）口、２０６…混合室、２０７…ネジ掛かり合わせ部、２０８…混合水栓側カートリッジ取付け部、２０９…混合水連通路、２１０…湯水混合水栓
００１…分岐口付接続金具本体、００１ａ…連結パイプ取付け部、００１ｂ…胴部、００２…カートリッジ取付け部、００３…袋ナット部、００３ａ…溝部、００４…連結パイプ、００５…分岐給水（湯）口、００６…混合室、００７ａ、００７ｂ…周方向シール、００９…混合水連通路、０１０…スパウト部、０１１…円筒シール部、０１２…位置決め部材、０１２ａ…凹凸部、０１２ｂ…突起
Ａ…袋ナット部００３とカートリッジ取付け台座１０４のネジの有効掛かり代Ｂ１…周方向シール００７ａと分岐口付接続金具本体００１の連結パイプ取付け部００１ａとの間で形成されるシール長さ
Ｂ２…周方向シール００７ｂとカートリッジ取付け台座１０４の連結パイプ取付け部１０４ａとの間で形成されるシール長さ
Ｃ…分岐口付接続金具本体１０１外周とカートリッジ取り付け台座１０４内周とを水密にシールする円筒シール部０１１のシール長さ
【図１】
2004036203.tif 000003
【図２】
2004036203.tif 000004
【図３】
2004036203.tif 000005
【図４】
2004036203.tif 000006
【図５】
2004036203.tif 000007
【図６】
2004036203.tif 000008